(57)【要約】【課題】除湿装置の運転時の温度上昇や運転音による不快感を軽減することを目的とする。【解決手段】乾燥した空気を作る除湿手段１４と衣類等の被乾燥物に乾燥した空気もしくは室内の空気を送風する送風手段と除湿手段１４を動作させて被乾燥物に空気を送る衣類乾燥運転の設定をする衣類乾燥スイッチ１０と除湿手段１４を停止し室内の空気を送風する時間を設定するタイマースイッチ１１を備え、送風運転から衣類乾燥スイッチ１０で選択された衣類乾燥運転に切り替えるときに、タイマースイッチ１１で設定された時間の長さに比例して除湿能力を上げて運転することにより、除湿装置１４の運転による温度上昇や運転音を抑制して使用者の不快感を軽減し、衣類乾燥運転の終了時間の遅れを補正することができるという効果を得ることができる。【選択図】図２
2014129910.tif 000002
【特許請求の範囲】
【請求項１】
乾燥した空気を作る除湿手段と衣類等の被乾燥物に乾燥した空気もしくは室内の空気を送風する送風手段と、前記除湿手段を動作させて被乾燥物に空気を送る衣類乾燥運転の設定をする衣類乾燥スイッチと、この衣類乾燥運転のなかで初期の所定時間だけ前記除湿手段を停止し室内の空気を送風する時間を設定するタイマースイッチを備え、送風運転から前記衣類乾燥スイッチで選択された衣類乾燥運転に切り替えるときに、前記所定時間の長さに比例して除湿能力を上げて運転することを特徴とする除湿装置。
【請求項２】
タイマースイッチで設定された時間の長さが特定の時間以内であれば、衣類乾燥スイッチで選択した衣類乾燥運転に切り替えた後の除湿能力を変更しないことを特徴とする請求項１に記載の除湿装置。
【請求項３】
タイマースイッチで設定された時間の送風の強さを衣類乾燥運転スイッチで選択した衣類乾燥運転の種類と同じ強さの送風とすることを特徴とする請求項１乃至２のいずれか一つに記載の除湿装置。
【請求項４】
タイマースイッチで設定された時間の送風の強さを衣類乾燥運転スイッチで選択した衣類乾燥運転の種類よりも弱い送風とすることを特徴とする請求項１乃至２のいずれか一つに記載の除湿装置。
【発明の詳細な説明】
【技術分野】
【０００１】
本発明は、除湿装置の運転時の温度上昇や運転音による不快感を軽減する方法に関する。
【背景技術】
【０００２】
従来、この種に関する除湿装置は、衣類乾燥の運転を開始した後、衣類乾燥を終了して停止するまでの時間を制御する除湿装置が知られている（例えば、特許文献１参照）。
【０００３】
以下、その除湿装置について説明する。
【０００４】
室内の温度を検知する温度センサと室内の湿度を検知する湿度センサを用いて室内の温度と湿度を検知し、運転開始からの温度と湿度の変化の推移から衣類等の被乾燥物の乾燥を推定して自動停止する。
【先行技術文献】
【特許文献】
【０００５】
【特許文献１】特開２００７−１８１５８５号公報
【発明の概要】
【発明が解決しようとする課題】
【０００６】
このような従来の除湿装置では、衣類乾燥の運転を開始すると同時にヒーターやコンプレッサーやファンなどすべての機能を使って乾燥運転を開始する。そのため、外出中に衣類を乾燥させようとしている人に対して外出するまでの間、部屋の温度上昇や運転音による不快感を与えるという課題を有していた。
【０００７】
また、使用者が温度上昇や運転音の不快感を解消しようとすると、衣類を干して終わった後、外出直前に除湿装置の運転を開始しなければならないという課題を有していた。
【０００８】
そこで本発明は、上記従来の課題を解決するものであり、衣類を干し終わってから外出するまでの時間は、温度上昇を招く大きな要素である除湿機能を停止し送風のみを行う時間を設定することを可能にし、温度上昇や運転音による使用者の不快感を軽減するだけでなく、さらに送風運転により生じる衣類乾燥の終了時間の遅れを補正することができる除湿装置を提供することを目的としている。
【課題を解決するための手段】
【０００９】
そして、この目的を達成するために、乾燥した空気を作る除湿手段と衣類等の被乾燥物に乾燥した空気もしくは室内の空気を送風する送風手段と、前記除湿手段を動作させて被乾燥物に空気を送る衣類乾燥運転の設定をする衣類乾燥スイッチと、この衣類乾燥運転のなかで初期の所定時間だけ前記除湿手段を停止し室内の空気を送風する時間を設定するタイマースイッチを備え、送風運転から前記衣類乾燥スイッチで選択された衣類乾燥運転に切り替えるときに、前記所定時間の長さに比例して除湿能力を上げて運転することを特徴としたものであり、これにより所期の目的を達成するものである。
【発明の効果】
【００１０】
本発明によれば、乾燥した空気を作る除湿手段と衣類等の被乾燥物に乾燥した空気もしくは室内の空気を送風する送風手段と、前記除湿手段を動作させて被乾燥物に空気を送る衣類乾燥運転の設定をする衣類乾燥スイッチと、この衣類乾燥運転のなかで初期の所定時間だけ前記除湿手段を停止し室内の空気を送風する時間を設定するタイマースイッチを備え、送風運転から前記衣類乾燥スイッチで選択された衣類乾燥運転に切り替えるときに、前記所定時間の長さに比例して除湿能力を上げて運転することにより、除湿装置の運転による温度上昇や運転音を抑制して使用者の不快感を軽減し、衣類乾燥運転の終了時間の遅れを補正することができるという効果を得ることができる。
【図面の簡単な説明】
【００１１】
【図１】本発明の実施の形態１の除湿装置の図
【図２】本発明の実施の形態１の除湿装置の制御手段の構成を示す図
【図３】同除湿装置のマイコンプログラムの構成の図
【図４】同除湿装置の衣類乾燥の制御方法の図
【図５】同除湿装置の衣類乾燥時のパラメータの時系列的な変化を示す図
【図６】同除湿装置の衣類乾燥のパラメータの図
【図７】同除湿装置の衣類乾燥運転の除湿能力の補正運転のない場合の制御方法を示す図
【図８】同除湿装置の衣類乾燥運転の除湿能力の補正運転の制御方法を示す図
【発明を実施するための形態】
【００１２】
本発明の請求項１記載の除湿装置は、乾燥した空気を作る除湿手段と衣類等の被乾燥物に乾燥した空気もしくは室内の空気を送風する送風手段と、前記除湿手段を動作させて被乾燥物に空気を送る衣類乾燥運転の設定をする衣類乾燥スイッチと、この衣類乾燥運転のなかで初期の所定時間だけ前記除湿手段を停止し室内の空気を送風する時間を設定するタイマースイッチを備え、送風運転から前記衣類乾燥スイッチで選択された衣類乾燥運転に切り替えるときに、前記所定時間の長さに比例して除湿能力を上げて運転することにより、除湿装置の運転による温度上昇や運転音を抑制して使用者の不快感を軽減し、衣類乾燥運転の終了時間の遅れを補正することができるという効果を奏する。
【００１３】
また、前記オンタイマースイッチで設定された時間の長さが特定の時間以内であれば、衣類乾燥スイッチで選択した衣類乾燥運転に切り替えた後の除湿能力を変更しない構成にしてもよい。これにより、除湿装置の運転による温度上昇や運転音を抑制して使用者の不快感を軽減し、衣類乾燥運転の終了時間の遅れを補正する必要が無くなるという効果を奏する。
【００１４】
また、オンタイマースイッチで設定された時間の送風の強さを衣類乾燥運転スイッチで選択した衣類乾燥運転の種類と同じ強さの送風とする構成にしてもよい。これにより、使用者にとって除湿手段のみが遅延したことが分かりやすいという効果を奏する。
【００１５】
また、オンタイマースイッチで設定された時間の送風の強さを衣類乾燥運転スイッチで選択した衣類乾燥運転の種類よりも弱い送風とする構成にしてもよい。これにより、除湿装置の運転音を大きく抑制して使用者の不快感をさらに軽減できるという効果を奏する。
【００１６】
（実施の形態１）
図１と図２に本発明に関わる除湿装置の全体構成を示す。
【００１７】
図１に示すように、除湿装置は、本体１の天面に除湿装置の操作と運転状態を表示するための操作表示部２と室内の空気を吸い込む吸込口３と除湿された空気と室内の空気と除湿された空気と室内の空気の混合空気のいずれかを吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８を備えている。
【００１８】
図には示していないが、温湿度センサ８は、雰囲気温度の検知と雰囲気湿度の検知ができるものであればよく、温度検知には安価なサーミスタを使用することができ、湿度検知には安価な高分子センサや精度の良い静電容量型センサを使用することができる。
【００１９】
また、操作表示部２には、除湿装置の運転の停止をするための運転停止スイッチ９と衣類乾除湿手段を動作させて被乾燥物に空気を送る衣類乾燥運転を開始する衣類乾燥スイッチ１０と、前記衣類乾燥運転のなかで初期の所定時間だけ後述する除湿手段１４を停止して室内へ空気を送風する時間を設定するタイマースイッチ１１と、受け付けた操作を表示する表示ＬＥＤ１２を備えている。
【００２０】
図２に示すように、除湿装置の本体１の内部には、除湿装置の運転を制御する制御装置１３と、乾燥した空気を作る除湿手段１４がある。
【００２１】
除湿手段１４は、吸い込んだ空気の水分を吸着する吸湿ローター１５と吸湿ローター１５を加熱して吸湿ローター１５から水分を放出させるための再生ヒーターＬ１６と再生ヒーターＨ１７と吸湿ローター１５から放出された水分を凝縮させるための凝縮器１８から構成されている。ここでの再生ヒーターは、再生ヒーターＬ１６よりも再生ヒーターＨ１７の発熱量の方が大きい構成としているが、それぞれの役割は同じであり、除湿能力を段階的に調整することを可能とするために、このような構成としている。
【００２２】
さらに室内の空気を吸込口３から吸い込んで本体１の内部を循環させて吹出口４から吹き出すためのファン１９が収納されており、図には示していないが、ファン１９は制御装置１３より風量を強と中と弱の３段階に変更できる構成となっている。他に風向ルーバー５と送風範囲ルーバー６を駆動するためのステッピングモータ（図示せず）などが収納されている。
【００２３】
制御装置１３には、負荷を駆動するためのトライアックやリレーなどの電子部品で構成された負荷駆動回路２０と、カウンターやタイマーや時計機能などＲＡＭやＲＯＭを内部に持つマイコン２１を備えており、マイコン２１の動作はマイコン内のカウンターやタイマーや時計機能やＲＡＭやＲＯＭが共同するマイコンのプログラムの形態で実施される。
【００２４】
また、マイコン２１のプログラムは、運転停止スイッチ９と衣類乾燥スイッチ１０とタイマースイッチ１１の入力を検知して押されたスイッチを検知するとともに受け付けた操作を表示ＬＥＤ１２に表示させる操作入力部２２と、一定時間毎に温湿度センサ８で室内の温度と湿度を検知する温湿度検知部２３と、衣類乾燥スイッチ１０が押されたときにファン１９の運転と温湿度検知部２３で検知した室内の温度と湿度から除湿手段１４の除湿能力を決定して負荷駆動回路２０を制御する除湿能力調整部２４と、衣類乾燥運転をしているときに、運転停止スイッチ９が押されたとき、あるいは、温湿度検知部２３の情報から衣類等の被乾燥物の乾燥を判断したときに除湿能力調整部２４に除湿装置の停止を命令する衣類乾燥判断部２５を備えている。さらに、除湿能力調整部２４には操作入力部２２でタイマースイッチ１１が選択されたことを検知したときに機能する除湿能力補正部２６を備えている。また、操作入力部２２と温湿度検知部２３と除湿能力調整部２４と衣類乾燥判断部２５と除湿能力補正部２６はマイコン２１のプログラムとして独立した機能であるが、図３の矢印で示したとおり、それぞれの機能の間での情報入手などをすることでプログラムの効率化を図っており、それぞれの機能は密接に連携している。
【００２５】
本実施の形態の衣類乾燥判断部２５は、乾燥運転開始時に被乾燥物（洗濯物）の含水容量として設定する含水量初期値Ｄｘ１と、所定時間毎の乾燥量として乾燥運転中の所定の時間ごとに周囲温度、湿度から算出する乾燥量Ｄを備え、前記所定時間毎に含水量初期値Ｄｘ１から乾燥量Ｄを減じて含水量Ｄｘとしていくことで、乾燥運転の終了時を検出するものである。
【００２６】
すなわち、前記含水量Ｄｘが零となった時点を乾燥完了時として運転を停止するものである。
【００２７】
含水量初期値Ｄｘ１は、除湿装置の除湿能力に対応する被乾燥物の量からあらかじめ設定した固定値である。
【００２８】
ここで含水量初期値Ｄｘ１と乾燥量Ｄの決定方法について説明する。
【００２９】
乾燥したときの衣類等の被乾燥物の重量を測定しておき、衣類等の被乾燥物を洗濯して水分を含んだ重量が乾燥したときの衣類等の被乾燥物の重量になったときを衣類等の被乾燥物が乾燥したと判断する実験を、衣類等の被乾燥物が干されると想定される室内の湿度と温度のいくつかの条件で実施し、併せて室内の湿度と温度の推移も測定する。
【００３０】
図５に示すように、この実験から衣類等の被乾燥物を室内に干すと、湿度は急激に増加し、除湿装置の衣類乾燥の運転を開始すると、室内の温度は除湿装置の運転によって上昇し湿度は時間とともに低下することが分かる。このように、一般的に衣類等の被乾燥物は温度が高く湿度が低いほど乾燥が早く進み、温度が低く湿度が高いほど乾燥が遅くなる特性があることが分かる。
【００３１】
乾燥量Ｄは、このような特性と実施した実験時の湿度と温度の推移を考慮して、室内の温度が高く湿度が低いほど重み付けを大きくし、室内の温度が低く湿度が高いほど重み付けを小さくするようにして値を決定し、図６に示すような湿度と温度に対する乾燥量Ｄのテーブルを作成する。
【００３２】
さらに、衣類等の被乾燥物が干されると想定される室内の湿度と温度のいくつかを組み合わせた条件で行った実験から、所定の含水容量を持った被乾燥物が乾燥するのに必要な最大時間と最小時間を算出することができる。
【００３３】
本実施の形態では、含水量初期値Ｄｘ１の値から乾燥量Ｄの値を引くものであるため、乾燥量Ｄの値が最も大きい条件が継続した場合衣類乾燥の運転時間が最も短くなり、乾燥量Ｄの値が最も小さい条件が継続した場合衣類乾燥の運転時間が最も長くなる。
【００３４】
含水量初期値Ｄｘ１の値は除湿装置が乾燥の対象とする被乾燥物の量で決定する。
【００３５】
被乾燥物の量によって含水容量は決まるが、被乾燥物の材質に依存する部分もある。
【００３６】
そこで、含水量初期値Ｄｘ１の値を変数として、再度、前述した衣類等の被乾燥物が干されると想定される室内の湿度と温度のいくつかの条件で実験を行い、含水量初期値Ｄｘ１の値の減少と衣類等の被乾燥物の重量の減少の推移が一致するかの確認実験を行う。そして、乾燥量Ｄと含水量初期値Ｄｘ１の値の微調整と確認実験を繰り返して衣類乾燥の自動停止の精度を上げる。
【００３７】
このように決定した含水量初期値Ｄｘ１と乾燥量Ｄは、予めマイコン２１に記憶しておく一定値もしくはテーブルの値となる。
【００３８】
以上のように構成した除湿装置において、先ずは基本的な動作を説明する。
【００３９】
操作表示部２で衣類乾燥スイッチ１０が押された場合、図３に示す除湿能力調整部２４と衣類乾燥判断部２５が起動し、衣類乾燥運転を開始する。図４に示すステップ１０１で除湿能力調整部２４によって除湿装置の衣類乾燥運転を開始したら、衣類乾燥判断部２５のステップ１０２に移行して、初期の含水量Ｄｘとして含水量初期値Ｄｘ１を、また計算用含水量Ｄｘ２としての含水量初期値Ｄｘ１を設定する。なお、計算用含水量Ｄｘ２は計算途中に衣類乾燥途中の含水量Ｄｘを一旦記憶しておくためのものである。
【００４０】
含水量初期値Ｄｘ１が設定されると、ステップ１０３とステップ１０４に移行することになる。温湿度検知部２３は、一定時間Ｔ経過後に温湿度センサ８から部屋の湿度Ｈと温度Ｒを検知する。図７に示す操作入力部２２と温湿度検知部２３と除湿能力補正部２６はマイコン２１のプログラムとして独立した機能であり、除湿運転の運転として必要なときに共有して使用するものである。ステップ１０５では、図６の湿度Ｈと温度Ｒの値から乾燥量Ｄを決定する。次にステップ１０６で計算用含水量Ｄｘ２から乾燥量Ｄの値を減算して、一定時間Ｔ経過後の含水量Ｄｘを算出して、ステップ１０７で計算用含水量Ｄｘ２に一定時間Ｔ経過後の含水量Ｄｘの値を記憶する。
【００４１】
そして、ステップ１０８で含水量Ｄｘの値が零以下であるかどうかを確認し、含水量Ｄｘが零よりも大きければ、衣類等の被乾燥物が乾いていないと推定してステップ１０３に移行して、ステップ１０３からステップ１０８を繰り返して衣類乾燥を継続する。また、ステップ１０８で含水量Ｄｘが零以下であった場合は、衣類等の被乾燥物が乾いたと推定してステップ１０９に移行し、除湿装置の運転を停止する命令を除湿能力調整部２４に送って除湿装置を停止させる。
【００４２】
このような運転をすることで、衣類等の被乾燥物の乾き具合を精度良く推定し自動で停止することができる除湿装置が得られる。
【００４３】
また、図には示していないが、除湿装置の運転が進む、すなわち、衣類等の被乾燥物の乾燥が進むと、室内の温度が高くなり湿度が低くなるように推移していく。そのため、除湿装置は、室内の温度と湿度の条件により除湿能力を調整することで、速く乾燥運転終了するようにしている。すなわち、乾燥運転の開始時は、比較的室内の温度が低く、湿度は高いので、除湿手段１４の駆動を積極的に行ない乾燥が進むに従って、除湿能力を低下させる省エネルギー運転をする構成となっている。
【００４４】
次に、タイマースイッチ１１で除湿手段１４の起動を遅延する時間が設定されたときの除湿装置の衣類乾燥運転の方法について、除湿能力調整部２４の動作を示す図７と除湿能力補正部２６の動作を示す図８を参照しながら説明する。
【００４５】
先に、タイマースイッチ１１による遅延方法について説明する。
【００４６】
図７に示すように、操作入力部２２で操作表示部２の除湿装置の運転開始の信号をステップ１１０で確認して除湿装置の運転を開始し、タイマースイッチ１１により除湿手段１４の起動を遅延する時間が設定されているかをステップ１１１で確認する。
【００４７】
除湿手段１４の起動を遅延するタイマーの時間が設定されていなければ、温湿度検知部２３の機能であるステップ１０３とステップ１０４で室内の温度と湿度を検知して、ステップ１１２からステップ１１６の運転に移行し、前述した衣類乾燥の自動停止の制御方法となるステップ１に移行して乾燥運転を開始する。
【００４８】
前述したように一般的に衣類等の被乾燥物を乾燥する場合、運転開始時の湿度は高くなっているので、運転開始時の除湿能力は最大となることが多く、ステップ１１２からステップ１１６では除湿装置の最大除湿能力となっている。
【００４９】
一方、ステップ１１１でタイマースイッチ１１により除湿手段１４の起動を遅延する時間が設定されていれば、ステップ１１７に移行して、設定されているタイマー時間Ｈ１を記憶してステップ１１８に移行して、ファン１９を運転音の静かな中ノッチにして送風運転のみを行う。
【００５０】
そして、ステップ１１９でタイマースイッチ１１により設定されたタイマー時間Ｈ１が経過したら、温湿度検知部２３の機能であるステップ１０３とステップ１０４で室内の温度と湿度を検知して、ステップ１２０からステップ１２４に移行し、このときの室内の温度と湿度の条件にあった除湿能力で除湿装置の運転を開始し、前述した衣類乾燥の自動停止の制御方法となるステップ１０１に移行して乾燥運転を開始する。
【００５１】
このように除湿装置を制御することで、外出中に衣類を乾燥させようとしている使用者に対して、使用者が外出するまでの間の除湿装置の運転による部屋の温度上昇や運転音による不快感を解消することが可能となる。
【００５２】
しかし、上記のように除湿手段１４の駆動開始を遅らせたことによって、被乾燥物から蒸発した湿気によって室内の湿度が非常に高くなっている。
【００５３】
そしてステップ１２０からステップ１２４では除湿装置の最大除湿能力となる。
【００５４】
次に、乾燥運転を所期の時間で終了するために、ステップ１０１への移行と同時にステップ１２５にも移行して、除湿能力補正部２６の機能を起動する。
【００５５】
図８に示すように、ステップ１２５で除湿能力の補正の機能を起動したら、ステップ１２６で除湿能力の変更があるかどうかを確認する。除湿能力の変更とは、前述したように、衣類等の被乾燥物の乾燥が進むに従って、除湿能力を低下させて省エネルギーな運転をする機能のことであり、詳細な説明は省略するが、温湿度検知部２３の機能であるステップ１０３とステップ１０４にて一定時間Ｔ経過毎に室内の温度と湿度を検知しているが、この情報を元に除湿能力の切り替えを行っている。そして、ステップ１２６で除湿能力の変更が発生するまで、一定時間Ｔ経過毎に確認を繰り返す。
【００５６】
次に、ステップ１２６で除湿能力の変更が発生した場合、ステップ１２７に移行し、補正時間ｈを算出する。次にテップ１２８とステップ１２９に移行して、現状の除湿能力で除湿装置の運転を継続し、補正時間ｈが経過するまで除湿能力の変更を遅らすように運転する。前述したように、除湿装置は、室内の温度と湿度の条件により除湿能力を自動的に調整する機能を備えており、一般的に衣類等の被乾燥物の乾燥が進むと、室内の温度が高くなり湿度が低くなるように推移していくため、除湿能力の変更は除湿能力を低下させることができる。このように動作させているので、除湿能力の変更を遅らせることで衣類乾燥の時間を短縮する、すなわち、除湿手段１４の駆動開始を遅らせたことによる含水量減少の遅れを取り戻すことができる。除湿能力を維持する時間を調整する補正を行うことで可能となる。この時間（補正時間ｈ）は、被乾燥物から発生した水分が室内へ既に拡散してしまうことで乾燥運転の状況が異なることから、単に除湿手段１４の駆動開始を遅らせた時間分だけではない。
【００５７】
また、ここでの補正時間ｈは、タイマースイッチ１１で設定されたタイマー時間Ｈ１を基準に補正係数αで決定される値であり、補正係数αの決定方法を説明する。前述した乾燥量Ｄと含水量初期値Ｄｘ１を決定したときと同じ条件で、タイマースイッチ１１で設定できるすべての時間に対して実験を行い、衣類乾燥が終了するまでの時間を測定する。
【００５８】
そして、タイマースイッチ１１により時間を設定した場合の衣類等の被乾燥物が乾燥する時間と前述した乾燥量Ｄと含水量初期値Ｄｘ１を決定したときの実験で得た衣類等の被乾燥物が乾燥する時間の長さを比較すると、タイマースイッチ１１で時間を設定した場合の方が衣類等の被乾燥物が乾燥する時間は長くなる。次に、タイマースイッチ１１で時間を設定したことにより、衣類等の被乾燥物が乾燥する時間が長くなった時間の長さだけ、除湿装置の除湿能力の切り替えを遅らせるようにして、再度、タイマースイッチ１１で設定できるすべての時間に対して実験を行い、衣類等の被乾燥物が乾燥する時間を測定する。再度行った実験から得られた衣類等の被乾燥物が乾燥する時間と乾燥量Ｄと含水量初期値Ｄｘ１を決定したときの実験で得た衣類等の被乾燥物が乾燥する時間の長さを比較し、衣類等の被乾燥物の乾燥時間が乾燥量Ｄと含水量初期値Ｄｘ１を決定したときの実験で得た衣類等の被乾燥物が乾燥する時間よりも再度行った実験から得られた衣類等の被乾燥物が乾燥する時間よりも短くなる場合は、補正係数αに１よりも小さい値を割り付け、衣類等の被乾燥物の乾燥時間が乾燥量Ｄと含水量初期値Ｄｘ１を決定したときの実験で得た衣類等の被乾燥物が乾燥する時間よりも再度行った実験から得られた衣類等の被乾燥物が乾燥する時間よりも長くなる場合は、補正係数αに１よりも大きい値を割り付け、乾燥量Ｄと含水量初期値Ｄｘ１を決定したときの実験で得た衣類等の被乾燥物が乾燥する時間に近づくように補正係数αを調整して決定する。
【００５９】
このように前述した乾燥量Ｄと含水量初期値Ｄｘ１を決定したときと同じ温度と湿度のすべての条件において実験を行って、すべての条件で補正係数αを設定する。そして、ここでは補正係数αはひとつの一定値としているため、すべての条件で補正できる値、すなわち、補正係数αが一番大きい値を設定する。しかし、補正係数αは除湿装置の衣類乾燥の運転を開始したときの室内の温度と湿度に大きく依存するため、補正係数αを除湿装置の衣類乾燥の運転開時の室内の温度と湿度のテーブルの値としても良い。このように決定した補正係数αは、予めマイコン２１に記憶しておく一定値もしくはテーブルの値となる。次に補正時間ｈを経過したら、ステップ１３０に移行して、除湿能力の補正運転を終了する。このように除湿装置を制御することで、外出中に衣類を乾燥させようとしている使用者に対して、使用者が外出するまで除湿能力を停止したことによって発生した衣類等の被乾燥物の乾燥時間の遅れを補正することが可能となる。
【００６０】
ここでは、湿度と温度の変化により衣類等の被乾燥物が乾燥したことを推定することを目的として衣類乾燥運転時の除湿能力を一定とした衣類乾燥の方法を示したが、衣類等の被乾燥物を乾燥させる運転を行う際に、除湿装置の運転開始から除湿能力の運転開始を遅延させる方法であれば、その方法に限定されず、その作用効果に差異は生じない。
【産業上の利用可能性】
【００６１】
本発明にかかる除湿装置は、一般家電用の衣類等の乾燥制御に適用できる。
【符号の説明】
【００６２】
１  本体
２  操作表示部
３  吸込口
４  吹出口
５  風向ルーバー
６  送風範囲ルーバー
７  タンク
８  温湿度センサ
９  運転停止スイッチ
１０  衣類乾燥スイッチ
１１  タイマースイッチ
１２  表示ＬＥＤ
１３  制御装置
１４  除湿手段
１５  吸湿ローター
１６  再生ヒーターＬ
１７  再生ヒーターＨ
１８  凝縮器
１９  ファン
２０  負荷駆動回路
２１  マイコン
２２  操作入力部
２３  温湿度検知部
２４  除湿能力調整部
２５  衣類乾燥判断部
２６  除湿能力補正部
【図１】
2014129910.tif 000003
【図２】
2014129910.tif 000004
【図３】
2014129910.tif 000005
【図４】
2014129910.tif 000006
【図５】
2014129910.tif 000007
【図６】
2014129910.tif 000008
【図７】
2014129910.tif 000009
【図８】
2014129910.tif 000010